(57)【要約】【課題】外部サイレンサの吸込口の氷結を防止し、氷結に起因する水中ブロアの故障を防止するようにした水処理用浄化槽装置を提供すること。【解決方法】浄化槽１１中に水中ブロア１２を設置し、浄化槽１１の外部に外部サイレンサ１３を設置し、水中ブロア１２の吸込側に外部サイレンサ１３を接続し、水中ブロア１２の吐出側に散気管１６を接続した水処理用浄化槽装置１０であって、水中ブロア１２の吐出側から吐出される空気全体の１０〜４０％を外部サイレンサ１３の空気吸込口１３ａへ導入する。水中ブロア１２から吐出される温風の一部を外部サイレンサ１３の空気吸込口１３ａへ導入するので、空気吸込口１３ａの温度が上昇し、空気吸込口１３ａの氷結を防止できる。【選択図】図１
0003133065.tif 000002
【実用新案登録請求の範囲】
【請求項１】
浄化槽中に水中ブロアを設置し、浄化槽の外部に外部サイレンサを設置し、水中ブロアの吸込側に外部サイレンサを接続し、水中ブロアの吐出側に散気管を接続した水処理用浄化槽装置であって、前記水中ブロアの吐出側から吐出される空気の一部を前記外部サイレンサの空気吸込口へ導入するように構成したことを特徴とする水処理用浄化槽装置。
【請求項２】
前記水中ブロアの吐出側から吐出される空気全体の１０〜４０％を前記外部サイレンサの吸込口へ導入することを特徴とする請求項１に記載の水処理用浄化槽装置。
【考案の詳細な説明】
【技術分野】
【０００１】
本考案は水処理用浄化槽装置に関する。
【背景技術】
【０００２】
水処理用浄化槽装置の一形式として、特開２００５−２７９４６４号公報には浄化槽中に水中ブロアを設置し、浄化槽の上部に外部サイレンサを設置し、水中ブロアの吸込側を外部サイレンサに接続し、水中ブロアの吐出側を散気管に接続した装置が記載されている。
【０００３】
この水処理用浄化槽装置によれば、浄化槽中に設置した水中ブロアの運転に伴って発生する圧縮熱によって浄化槽内の水温が高まるので、好気性微生物の働きが活発になり、処理能力の向上を図ることができる。
【特許文献１】特開２００５−２７９４６４
【考案の開示】
【考案が解決しようとする課題】
【０００４】
ところで、外気温度が氷点以下となる寒冷地では浄化槽から湯気（蒸気）が発生したり、自然現象によって霧が発生し易い。発生した湯気や霧が外部サイレンサに吸引されると、外部サイレンサの吸込口は空気流速が早いために気化熱が奪われて氷結現象が発生する。その結果、外部サイレンサの吸込口が閉塞し、吸込抵抗が上昇して水中ブロアに故障をきたすおそれが生じる。
【０００５】
本考案は上記問題点に鑑み、外部サイレンサの吸込口の氷結を防止し、氷結に起因する水中ブロアの故障を防止するようにした水処理用浄化槽装置を提供することを目的とする。
【課題を解決するための手段】
【０００６】
上記目的を達成するため本考案は、浄化槽中に水中ブロアを設置し、浄化槽の外部に外部サイレンサを設置し、水中ブロアの吸込側に外部サイレンサを接続し、水中ブロアの吐出側に散気管を接続した水処理用浄化槽装置であって、前記水中ブロアの吐出側から吐出される空気の一部を前記外部サイレンサの空気吸込口へ導入するように構成したことを特徴とする。
そして、好ましくは前記水中ブロアの吐出側から吐出される空気全体の１０〜４０％を前記外部サイレンサの吸込口へ導入する。
【考案の効果】
【０００７】
本考案によれば、水中ブロアから吐出される温風の一部を外部サイレンサの空気吸込口へ導入するので、空気吸込口の温度が上昇し、空気吸込口の氷結を防止できる。従って、外部サイレンサの空気吸込口の氷結に起因する水中ブロアの故障を防止できる。たま、空気吸込口の温度上昇により水中ブロアには外気温度より高い温度の空気が供給されるので、水中ブロアから吐出される空気の温度及び水中ブロアで発生する圧縮熱も上昇する。このため、浄化槽の水温を効果的に上昇させることができる。
【０００８】
しかして、外部サイレンサの空気吸込口へ導入される空気は水中ブロアから吐出される空気の１０〜４０％が好ましい。１０％以下では空気吸込口の温度上昇が氷結を防止するうえで不十分となる。一方、４０％以上の場合、散気管から供給される曝気用空気の量が不足し、好気性微生物の活性化が損なわれる。
【実施例】
【０００９】
以下に本考案を図面に基づき説明する。図１には本考案の一実施例に係る水処理用浄化槽装置１０の概略の構成が示されている。当該水処理用浄化槽装置１０は浄化槽１１、浄化槽１１中に設置された水中ブロア１２、浄化槽１１の上方に設置された外部サイレンサ１３、浄化槽１１中に設置された水中サイレンサ１４，１５と散気管１６を備えている。
【００１０】
外部サイレンサ１３と水中サイレンサ１４は吸込配管１７を介して水中ブロア１２の吸込側に接続されている。
【００１１】
一方、水中ブロア１２の吐出側には吐出配管１８を介して水中サイレンサ１５と散気管１６が接続されている。また、水中サイレンサ１５と散気管１６の間の吐出配管１８には安全弁１９、逆止弁２０及び圧力計２１が設けられている。
【００１２】
水中ブロア１２の吐出側には吐出配管１７とは別にバイパス配管２２が接続され、外部サイレンサ１３の空気吸込口まで配管されている。図２に外部サイレンサ１３の空気吸込口１３ａを拡大して図示する。外部サイレンサ１３はフランジ１３ｂと、フランジ１３ｂに立設固定した中心筒１３ｃと、下端面に空気吸込口１３ａとなる開口が形成されたハウジング１３ｄを有し、ハウジング１３ｄは中心筒１３ｃを覆うように被せられ、図示略のボルトで中心筒１３ｃに固定されている。中心筒１３ｃの外周面には多数の通孔１３ｅが形成されている。また、中心筒１３ｃの外周面は吸音材１３ｆで被覆されている。
【００１３】
ハウジング１３ｄの下部外周には空気吸込口１３ａから雨水が外部サイレンサ１３内部に浸入するのを防止するため雨よけカバー１３ｇが取り付けられている。また、外部サイレンサ１３の空気吸込口１３ａの下方には空気吸込口１３ａに対向するように温風吹出口２３が設置されている。この温風吹出口２３はバイパス配管２２を介して水中ブロア１２の吐出側に接続されている。そして、バイパス配管２２の途中に戻し空気量調整弁２４が取り付けられている。
【００１４】
本実施例に係る水処理用浄化槽装置１０の構成は以上の通りであって、水中ブロア１２を稼働すると外気が外部サイレンサ１３の空気吸込口１３ａから吸引され、吸音材１３ｆ、中央筒１３ｃ、水中サイレンサ１４を通って水中ブロア１２に吸引される。そして、水中ブロア１２で圧縮され、水中サイレンサ１５を通って散気管１６から浄化槽１１の汚水中に吐出し、汚水に曝気が施される。その際、浄化槽１１の汚水は水中ブロア１２の運転に伴う圧縮熱によって水温が上昇するので、好気性微生物の働きが活発化し、汚水処理能力が向上する。
【００１５】
また、水中ブロア１２の稼働に伴い、水中ブロア１２の吐出側にバイパス管２２を介して接続されている温風吹出口２３から温風が図２に矢印で示すように、外部サイレンサ１３の空気吸込口１３ａに吹き付けられる。これにより外部サイレンサ１３の空気吸込口１３ａの氷結が防止される。外部サイレンサ１３の空気吸込口１３ａへ導入される戻し空気は水中ブロア１２から吐出される空気全体の１０〜４０％となるように戻し空気量調整弁２４で調整する。
【００１６】
下表に、外気温１５℃のとき口径６５ｍｍ、モータ容量５．５ｋＷ、回転速度１７５０ｒｐｍの水中ブロア１２を使用して、各圧力時にバイパス配管２２から外部サイレンサ１３の空気吸込口１３ａへ導入される戻し空気量を変化させた場合の水中ブロア１２の吐出空気温度及び外部サイレンサ１３の空気吸込口１３ａの温度の実験データを示す。
【００１７】
【表１】
0003133065.tif 000003
【００１８】
上記実験の結果、吐出圧力５０ｋＰａ時に、戻し空気なしに比べて、２０％戻した場合は吐出空気温度が１０℃増加し、外部サイレンサ１３の空気吸込口１３ａの温度が３５℃増加した。また、３０％戻した場合は吐出空気温度が１８℃増加し、空気吸込口１３ａの温度が５０℃増加した。このことから戻し空気により水中ブロア１２の吐出空気温度及び外部サイレンサ１３の空気吸込口１３ａの温度上昇に効果があることが確認できた。外気温度が低い寒冷地でも同様の傾向になるものと推測できる。
【図面の簡単な説明】
【００１９】
【図１】本考案の実施例に係る水処理用浄化槽装置の概略の構成を示す説明図である。
【図２】同水処理用浄化槽装置における外部サイレンサの空気吸込口を示す部分拡大図である。
【符号の説明】
【００２０】
１０…水処理用浄化槽装置
１１…浄化槽
１２…水中ブロア
１３…外部サイレンサ
１３ａ…空気吸込口
１６…散気管
【図１】
0003133065.tif 000004
【図２】
0003133065.tif 000005